(57)【特許請求の範囲】
【請求項１】
回路しゃ断器に内蔵し、主回路の過電流を検出して接触子開閉機構のラッチを引き外すトリップコイルユニットであり、その電磁形の過電流引外し装置がコイル導体の一端に主回路端子板を取付けた引外しコイルと、該コイルに嵌挿したオイルダッシュポットと、逆Ｌ字形のヨークと、該ヨークの下端側に連結したアーマチュアとの組立体からなり、かつしゃ断器の各極に対応した過電流引外し装置の部品を組立用ユニットケースの内部に仕切った各極に対応する部屋にその開放端面側から挿入して組立てたものにおいて、
前記ヨークの上部脚片にオイルダッシュポットの頂部を前方から挿入する切欠溝を形成するとともに、ユニットケースの各部屋ごとに、その底部側に過電流引外し装置を挿入した状態でオイルダッシュポット，およびヨークの下端部を左右から一括挟持して組立位置に拘束保持する支持ガイド部材を設け、該支持ガイド部材として、ユニットケース内に仕切った各部屋ごとにその左右側壁からＴ字状に突き出して向かい合わせに並ぶ左右一対のガイドレールを設けるとともに、該ガイドレールの内面にオイルダッシュポットの鍔部を前方から差し込むガイド溝，およびその前端にオイルダッシュポットの抜け止めストッパを形成し、オイルダッシュポットを左右のガイドレール間に圧入した状態で、先に組み込んだヨークを左右からガイドレールの後端で挟持するようにしたことを特徴とする回路しゃ断器のトリップコイルユニット。
【発明の詳細な説明】
【０００１】
【発明の属する技術分野】
この発明は、配線用しゃ断器，漏電しゃ断器などを実施対象とする回路しゃ断器に内蔵した過電流引外し用のトリップコイルユニットに関する。
【０００２】
【従来の技術】
回路しゃ断器に内蔵し、主回路の過電流を検出して接触子開閉機構のラッチを引き外すトリップコイルユニットとして、その電磁形の過電流引外し装置がコイル導体の一端に主回路端子板を取付けた引外しコイルと、該コイルに嵌挿したオイルダッシュポットと、逆Ｌ字形のヨークと、該ヨークの下端側に連結したアーマチュアとの組立体からなり、かつしゃ断器の各極に対応した過電流引外し装置を、樹脂成形品としてなる前面開放形の組立用ユニットケースの内部に仕切られた各極に対応する部屋に側方から差し込み式に組み込んだ構成のものが、この発明と同一出願人より提案した特開平１０−５０１９５号公報で公知である。
【０００３】
ここで、３相（３極）用の回路しゃ断器を例に、回路しゃ断器に内装した前記提案になるトリップコイルユニットの組立構造を図５(a),(b) に示す。図において、１は電磁形の過電流引外し装置、２はその組立用のユニットケースであり、このユニットケース２にしゃ断器の各極に対応する３基の過電流引外し装置１を組み込んで、(b) 図に示すトリップコイルユニットを組立構成している。ここで、過電流引外し装置１は、コイル導体の一端に主回路端子板（負荷側の端子板）３を半田付けした引外しコイル４と、該引外しコイル４に嵌挿したオイルダッシュポット５と、引外しコイル４に対する磁路を形成する逆Ｌ字形のヨーク６と、ヨーク６の下端側に揺動可能に組付けたアーマチュア７，およびその復帰ばね８とを組合せた構成になり、ヨーク６の上部脚片６ａにはオイルダッシュポット５の頂部が嵌合する貫通穴６ｂが開口している。なお、アーマチュア７と対向するオイルダッシュポット５の下端部には後記のようにオイルダッシュポットをユニットケース２に固定支持するための鍔部５ａを備えている。
【０００４】
一方、過電流引外し装置の組立用ユニットケース２は樹脂成形品として作られたものであり、前面を開放した箱形のケース内には中仕切壁を挟んで各極に対応する三つの部屋２ａが画成されており、かつ各部屋２ａごとにその左右側壁にはヨーク６の上部脚辺を支持するヨーク挿入溝２ｂ，およびオイルダッシュポット５の鍔部５ａを支持する鍔挿入溝２ｃ，およびケース天井にはオイルダッシュポット５の頂部を嵌め込む円形の切欠き係合穴２ｄが形成されており、各部屋２ａごとに過電流引外し装置１を１基ずつ開放端面から差し込んで(b) 図に示すトリップコイルユニットを組立てる。
【０００５】
また、その組立手順は次のようにして行われる。まず、ユニットケース２に過電流引外し装置１を組み込む前の工程で、ヨーク６にアーマチュア７，復帰ばね８を組付ける。次に、オイルダッシュポット５に引外しコイル４，およびヨーク６を順に上方から挿入して引外し装置１を仮組立てし、この仮組立体をケース２の部屋２ａに前方（ユニットケースの開放端面側）から差し込むとともに、この差し込み過程でヨーク６の上部脚辺の左右両サイドに張り出した突起部を前記挿入溝２ｂに圧入して所定位置に拘束保持するとともに、オイルダッシュポット５の鍔部５ａを下部側の挿入溝２ｃに圧入して定位置に固定する。
【０００６】
【発明が解決しようとする課題】
前記のトリップコイルユニットを内蔵した回路しゃ断器を製作する際に、その引外し動作特性にばらつきがない安定した品質の製品を得るには、過電流引外し装置１の組立状態でその引外しコイル４に嵌挿したオイルダッシュポット５と、オイルダッシュポット５の端面に対向するヨーク６のアーマチュア７とが所定の組立位置に正しく支持されていることが重要である。また、組立ロボットなどでで行う自動組立方式でトリップユニットコイルを組立てる場合には、できるだけ簡単な組立構造に加えて、ロボットを使って自動組立てを行うためには、組立ロボットによる一方向からの操作で引外し装置の各部品をユニットケース内の所定位置に安定よく組み込めるようにした組立構造が要求される。
【０００７】
かかる点、前記した従来の組立構造ではロボットによる自動組立を行うには次記のような問題点がある。
(1) ユニットケース２に対して、引外しコイル４とオイルダッシュポット５の組立体と、ヨーク６，アーマチュア７の組立体を組立ロボットにより同じ方向（前方）から個別に組み込むことができず、前工程でヨーク６を上方からオイルダッシュポット５に挿入して仮組立し、この仮組立体（オイルダッシュポット５とヨーク６との間がルーズな組立状態にある）をユニットケース２に挿入する際には、オイルダッシュポット５とヨーク６を個々にユニットケース２の挿入溝２ｂ，２ｃに圧入する必要があって組立ロボットの位置決め操作が複雑化する。
【０００８】
(2) ユニットケース２に引外し装置１の各部品を圧入した状態でも、ユニットケース内に前方から挿入した逆Ｌ字形のヨーク６は、その上部脚辺６ａがケース側の挿入溝２ｂに嵌まり込んで組立位置に固定支持されるものの、アーマチュアを取付けた下部脚片を組立位置に拘束保持する固定支持手段がないために、アーマチュア７とオイルダッシュポット５の端面との相対位置が安定せず、このために個々のしゃ断器製品に対する引外し動作特性にばらつきが生じ易くなる。
【０００９】
この発明は上記の点にかんがみなされたものであり、過電流引外し装置の構成部品を、その組立用ユニットケースに対してケース内の所定位置に簡単，かつ安定よく組み込めるに改良したトリップコイルユニットの組立構造を提供することを目的とする。
【００１０】
【課題を解決するための手段】
上記目的を達成するために、この発明によれば、回路しゃ断器に内蔵し、主回路の過電流を検出して接触子開閉機構のラッチを引き外すトリップコイルユニットで、その電磁形の過電流引外し装置がコイル導体の一端に主回路端子板を取付けた引外しコイルと、該コイルに嵌挿したオイルダッシュポットと、逆Ｌ字形のヨークと、該ヨークの下端側に連結したアーマチュアとの組立体からなり、かつしゃ断器の各極に対応した過電流引外し装置の部品を組立用ユニットケースの内部に仕切った各極に対応する部屋にその開放端面側から挿入して組立てたものにおいて、前記ヨークの上部脚片にオイルダッシュポットの頂部を前方から挿入する切欠溝を形成するとともに、ユニットケースの各部屋ごとに、その底部側に過電流引外し装置を挿入した状態でオイルダッシュポット，およびヨークの下端部を左右から一括挟持して組立位置に拘束保持する支持ガイド部材を設け、該支持ガイド部材として、ユニットケース内に仕切った各部屋ごとにその左右側壁からＴ字状に突き出して向かい合わせに並ぶ左右一対のガイドレールを設けるとともに、該ガイドレールの内面にオイルダッシュポットの鍔部を前方から差し込むガイド溝，およびその前端にオイルダッシュポットの抜け止めストッパを形成し、オイルダッシュポットを左右のガイドレール間に圧入した状態で、先に組み込んだヨークを左右からガイドレールの後端で挟持するようにする（請求項１）。
【００１２】
上記の構成において、ユニットケースにヨークとアーマチュアの組立体を前方から挿入した後に、引き続いて引外しコイルにオイルダッシュポットを組合せて前方からユニットケースに挿入すると、オイルダッシュポットの頂部が既にケース内に組み込んだヨーク上部脚片に形成した切欠溝に前方から嵌まり込むと同時に、ユニットケースの底部側に設けて左右側壁からＴ字状に張り出した左右一対のガイドレールの前端部がオイルダッシュポットの鍔部に押されて外側に広がるとともに、ガイドレールの後端は逆に内側へ狭まるよに「ハ」字形に変形して先に挿入したヨークの下部脚片を左右から挟持する。この結果、オイルダッシュポットの鍔部，および先に挿入しておいたヨークの下部脚片が一括して左右一対のガイドレールの間に挟まれ、所定の組立位置に拘束保持されることになる。しかも、ユニットケースに対してヨーク，オイルダッシュポットを同じ方向から挿入して組み込むことができ、これにより組立ロボットによる自動組立方式にも対応できる。
【００１３】
【発明の実施の形態】
以下、この発明の実施の形態を図１〜図４に示す実施例に基づいて説明する。なお、実施例の図中で図５に対応する同一部材には同じ符号が付してある。
すなわちこの実施例においては、過電流引外し装置１の組立用ユニットケース２に対して、ケース内部に画成した各極に対応する部屋２ａごとに、その上部側には図４で述べた従来構造と同様なヨーク挿入溝２ｂ，およびオイルダッシュポット５の頂部を嵌め込む円形の切欠き係合穴２ｄが形成されており、さらに部屋内の底部側には過電流引外し装置１の構成部品を組み込んだ状態でオイルダッシュポット５，およびヨーク６を一括して左右から挟持し、所定の組立位置に拘束保持する支持ガイド部材２ｅがユニットケース２をモールド成形する際に一体に形成されている。
【００１４】
この支持ガイド部材２ｅは、ユニットケース２の内部に仕切られた各部屋２ａごとに、図２(c) で示すようにその左右側壁からリブ状突起２ｅ-1を介してＴ字状に突き出した左右一対のガイドレール２ｅ-2としてなり、該ガイドレール２ｅ-2の内面にはオイルダッシュポット５の鍔部５ａを前方から差し込んで支持するガイド溝２ｅ-3，およびその前端に形成した鍔部５ａの抜け止めストッパ２ｅ-4が形成されている。ここで、向かい合わせに並ぶ左右一対のガイドレール２ｅ-2の間の間隔Ｌは、オイルダッシュポット５の鍔部５ａの外径寸法よりも一回り小さく設定されている。また、ガイドレール２ｅ-2の前後方向の長さは、その後端部２ｅ-5がユニットケース２内に組み込まれるヨーク６の側縁と対向するような長さに設定されている。また、ヨーク６の上部脚片６ａには、図５に示した貫通穴６ａに代えて、オイルダッシュポット５の頂部が前方から嵌まり込むＵ字状の切欠溝６ｃが形成されている。
【００１５】
次に、前記構成になるユニットケース２に過電流引外し装置１を組み込む際の手順，動作を図３(a) 〜(c) で説明する。
まず、ユニットケース２の各部屋２ａにアーマチュア７，復帰ばね８を取付けたヨーク６を図４(a) の矢印(1)で表すように前方（ユニットケース２の開放端面側）から挿入し、ヨーク６の上部脚辺の左右両サイドから突き出た突起をヨーク挿入溝２ｂに圧入する。この挿入過程では、ヨーク６の下部脚辺はユニットケース２の底部側に形成した左右一対のガイドレール２ｅ-2の間をすり抜けてその奥に差し込まれる。
【００１６】
次に、オイルダッシュポット５を引外しコイル４に嵌挿した状態で、図４(a) の矢印(2)で表すようにオイルダッシュポット５を前方からユニットケース２の部屋２ａに挿入する。この挿入工程ではオイルダッシュポット５の頂部がヨーク６の上部脚片に形成した切欠溝６ｃに嵌入する。また、この挿入工程で同時に下部の鍔部５ａを前記ガイドレール２ｅ-2に形成したガイド溝２ｅ-3に位置を合わせて押し込むと、オイルダッシュポット５の頂部は円形の係合穴２ｄに嵌まり込むとともに、オイルダッシュポット５の鍔部５ａ，および先に組み込んだヨーク６が図３(a) 〜(c) の経過を経て左右一対のガイドレール２ｅ-2の間に挟持されるようになる。
【００１７】
すなわち、図３(a) の状態から(b) の状態に移行すると、ガイドレール２ｅ-2はリブ状突起２ｅ-1を支点に前半部が鍔部５ａで左右に押し広げられ、逆にガイドレール２ｅ-2の後端部２ｅ-5は内側に移動して左右のガイドレールが「ハ」字状となる。そして、(c) 図の組み込み状態では、鍔部５ａがガイドレール２ｅ-2の前端に形成したストッパ２ｅ-4で組立位置から抜け出ないように係止され、かつヨーク６はガイドレール２ｅ-2の後端部２ｅ-5で左右から挟持されて所定の組立位置に拘束保持され、この結果としてオイルダッシュポット５とこれに対向するヨーク６のアーマチュア７との間で安定した相対位置関係が確立する。
【００１８】
【発明の効果】
以上述べたように、この発明の構成によれば、ユニットケースに過電流引外し装置の構成部品を挿入するトリップコイルユニットの組立工程で、ヨーク，およびオイルダッシュポットがユニットケース内に設けたガイド左右一対の支持ガイド部材の間に一括して所定の組立位置に拘束保持される。これにより、オイルダッシュポット５とこれに対向するヨークのアーマチュアとの相対位置が安定確立してしゃ断器の引外し動作特性が安定化する。しかも、引外し装置の組立工程では、過電流引外し装置の各部品を個別に同じ方向からユニットケースに挿入して組み込むことができ、これにより組立ロボットの操作による自動組立が可能となる。
【図面の簡単な説明】
【図１】この発明の実施例によるトリップコイルユニットの組立構成図であり、(a) は部品の分解図、(b) は組立状態の側面図
【図２】図１における組立用ユニットケースの構造図であり、(a) はケース一部の正面図、(b) 〜(d) はそれぞれ(a) の矢視Ａ−Ａ断面図、矢視Ｂ−Ｂ断面図、および上面図
【図３】図１に示したトリップコイルユニットの組立構成の説明図であり、(a) 〜(c) はそれぞれユニットケースの上面，および図２(c) に対応した断面位置から見たオイルダッシュポットの挿入過程を表す図
【図４】図１に対応したトリップコイルユニットの組立構成図であり、(a) をその分割斜視図、(b) は組立状態の斜視図
【図５】従来の回路しゃ断器に内蔵したトリップコイルユニットの組立構成図であり、(a) はその分解斜視図、(b) は組立状態の斜視図
【符号の説明】
１    過電流引外し装置
２    ユニットケース
２ａ  部屋
２ｂ  ヨーク挿入溝
２ｄ  オイルダッシュポットの頂部係合穴
２ｅ  支持ガイド部材
２ｅ-2  ガイドレール
２ｅ-3  ガイド溝
２ｅ-4  ストッパ
２ｅ-5  後端部
３    主回路端子板
４    引外しコイル
５    オイルダッシュポット
５ａ  鍔部
６    ヨーク
６ａ  上部脚部
６ｃ  切欠溝
７    アーマチュア
８    復帰ばね
【図１】
0003843609.tif 000002
【図２】
0003843609.tif 000003
【図３】
0003843609.tif 000004
【図４】
0003843609.tif 000005
【図５】
0003843609.tif 000006